(57)【要約】【課題】  携帯端末機のディスプレイ部に初期にだけ力を加えれば、自動で開閉する弾性力を提供する。【解決手段】  ディスプレイ部の移動方向に沿って形成されたカムプロファイルと、カムプロファイル側に弾性力を加えてディスプレイ部を停止させたり移動方向に持続的な加速度を与えるための弾性手段とを有する構造を適用することにより、弾性手段の強度の増加、スムーズな動作、耐久性の向上を達成することができる。【選択図】      図１
2007159127.tif 000002
【特許請求の範囲】
【請求項１】
第１プレート；
上記第１プレートとスライド可能に結合され、スライド方向に沿ってカムプロファイルが形成された第２プレート；及び
上記第２プレートの移動方向と直交する方向に弾性力を発生させるように、上記第１プレートに装着される弾性部材；からなり、
上記弾性部材は、
上記第１プレートに装着されるハウジング；
上記ハウジングの内部にスライド可能に装着されるスライダー；
上記ハウジングと上記スライダーの一端との間に装着されるバネ；及び
上記スライダーの他端に装着され、上記カムプロファイルに沿ってスライドするローラ；からなることを特徴とする携帯端末機用スライド開閉装置。
【請求項２】
上記ハウジングには長孔が設けられ、
上記スライダーには、上記長孔に沿ってスライドする突起片が形成されていることを特徴とする請求項１に記載の携帯端末機用スライド開閉装置。
【請求項３】
上記スライダーの一端には、上記バネが挿入される支持突起が突設されていることを特徴とする請求項１に記載の携帯端末機用スライド開閉装置。
【請求項４】
上記ハウジングの上面または下面には、上記スライダーの移動方向に沿って上記バネの側面を指示するバネ支持部が突設されていることを特徴とする請求項１に記載の携帯端末機用スライド開閉装置。
【請求項５】
上記スライダーには、上記バネ支持部に対応するスライド溝が設けられることを特徴とする請求項４に記載の携帯端末機用スライド開閉装置。
【請求項６】
上記第１プレートには、上記弾性部材が嵌着される弾性部材嵌着孔が設けられることを特徴とする請求項１に記載の携帯端末機用スライド開閉装置。
【請求項７】
上記カムプロファイルは、
上記第２プレートの移動方向に沿って多数の傾斜面が互いに異なる方向にジグザグ状に形成されていることを特徴とする請求項１に記載の携帯端末機用スライド開閉装置。
【請求項８】
上記第１プレートの移動方向側縁の一部には上記第２プレートの側縁に接する側縁ガイド部が突出形成され、
上記第２プレートの移動方向両側縁には上記第２プレートの移動方向に沿って第２安着溝が設けられ、上記第１プレートの側縁ガイド部には上記第２安着溝に対応して第１安着溝が設けられており、上記第１安着溝と第２安着溝との間にはガイドロッドが装着されることを特徴とする請求項１に記載の携帯端末機用スライド開閉装置。
【請求項９】
第１プレート；
上記第１プレートと平行な状態でスライド可能に結合され、スライド方向に沿って凹部と傾斜面とが連続するカムプロファイルを設けた第２プレート；
上記第１プレートに固定されるスライドハウジング；
上記カムプロファイルに向けて前後進可能に上記スライドハウジングに設置される移動ブロック；
上記スライドハウジングに支持され上記移動ブロックに弾性力を加える１本以上の圧縮バネ；及び
上記移動ブロックに軸回転可能に設置され、上記カムプロファイルに接触して回転するローラ；を含んでなる携帯端末機用スライド開閉装置。
【請求項１０】
上記スライドハウジングには１本以上のガイド軸が固定され、上記移動ブロックは上記ガイド軸に沿って移動し、上記圧縮バネは上記ガイド軸に嵌め込まれていることを特徴とする請求項９に記載の携帯端末機用スライド開閉装置。
【請求項１１】
上記ガイド軸はＵ字状からなり、上記スライドハウジングの一端には、上記ガイド軸の直線状端部側に結合される第１軸孔が設けられ、上記スライドハウジング１６０の他端には、上記ガイド軸の屈折した部分の一部が挿入される第１屈折溝が設けられ、上記ガイド軸の屈折した残りの部分が挿入される第２屈折溝が設けられたプレートが、上記スライドハウジングに結合されることを特徴とする請求項１０に記載の携帯端末機用スライド開閉装置。
【請求項１２】
上記第１プレートには切込部が設けられ、上記スライドハウジングは上記切込部内に挿入された状態で上記第１プレートに固定されて上記ローラのみを上記第１プレートの上部に突出させることを特徴とする請求項９に記載の携帯端末機用スライド開閉装置。
【請求項１３】
上記第２プレートの移動方向両側縁には第１ガイドリブが設けられ、上記第１ガイドリブにスライド可能に結合する第２ガイドリブを設けた一対のトラックガイドが、上記第１プレートの移動方向両側縁に固定されることを特徴とする請求項９に記載の携帯端末機用スライド開閉装置。
【請求項１４】
第２カバー；
上記第２カバーにスライド可能に結合された第３カバー；
上記第２カバーに対して上記第３カバーを長手方向に沿って直進移動可能に案内するガイド部材；
上記第２カバーと第３カバーとの間に装着され上記第３カバーのスライド時に上記第３カバーが所定の位置に停止するようにするプランジャーアセンブリー；からなり、
上記プランジャーアセンブリーは、
一端が開放されたハウジング部材；
上記ハウジング部材にスライド可能に挿入され、一端にはローラが回動可能に結合され、他端には長手方向に挿入軸が形成されたプランジャー；
上記挿入軸に挿着されて上記プランジャーを弾性支持する圧縮バネ；を含んでなり、
上記プランジャーの底面には長手方向に長く係止溝が設けられていて、上記ハウジング部材の底面には上記係止溝に挿入されて上記プランジャーの移動を制限するストッパーが突設されていることを特徴とする携帯端末機用スライド開閉装置。
【請求項１５】
上記ストッパーは、上記ハウジング部材の他端方向に上向きに傾斜するように突設されていることを特徴とする請求項１４に記載の携帯端末機用スライド開閉装置。
【請求項１６】
上記ハウジング部材は、
上記第１ハウジングと、該第１ハウジングとのの間で上記プランジャーを挿入すべき収容空間を形成するように、上記第１ハウジングに結合される第２ハウジングとからなり、
上記第１ハウジングと上記第２ハウジングとは一体に連結されていることを特徴とする請求項１４又は１５に記載の携帯端末機用スライド開閉装置。
【請求項１７】
上記第１ハウジングと上記第２ハウジングとは、
それぞれの一側縁が一体に連結されて折り曲げられ、他側縁はベンディング結合することを特徴とする請求項１６に記載の携帯端末機用スライド開閉装置。
【請求項１８】
上記プランジャーアセンブリーは上記第２カバーに結合され、
上記第３カバーには上記プランジャーアセンブリーが安着するように長手方向に案内溝が設けられており、
上記案内溝には少なくとも１つ以上の停止溝が設けられて上記プランジャーのローラが所定位置で停止するようになることを特徴とする請求項１４に記載の携帯端末機用スライド開閉装置。
【請求項１９】
上記停止溝の自由端部分には、上記ローラが容易に挿入されて安着するように下向きに傾斜した挿入傾斜部が形成されていることを特徴とする請求項１８に記載の携帯端末機用スライド開閉装置。
【請求項２０】
上記ハウジング部材の他端には挿入突起が形成され、上記第２カバーには上記挿入突起が挿入される挿入固定部が形成されており、上記プランジャーアセンブリーは上記第２カバーにフック結合されることを特徴とする請求項１４乃至１９のうちいずれか一項に記載の携帯端末機用スライド開閉装置。
【請求項２１】
第１プレート；
上記第１プレートと平行な状態でスライド可能に結合され、スライド方向に沿って凹部と傾斜面とが連続するカムプロファイルを設けた第２プレート；
上記第１プレートに固定される固定レバー；
上記固定レバーと面接触し、上記カムプロファイルに向けて前後進可能に置かれるスライドレバー；
上記固定レバーの端部側に一端が連結され、上記スライドレバーの対向する端部側に他端が連結されて、上記スライドレバーが上記カムプロファイル側に前進する弾性力を発生させるための１本以上の引張バネ；及び
上記スライドレバーに軸回転可能に設置され、上記カムプロファイルに接触して回転するローラ；を含んでなる携帯端末機用スライド開閉装置。
【請求項２２】
上記固定レバーと上記スライドレバーのどちらか一方には、上記カムプロファイルに向けて長くガイド溝が形成され、他方には上記ガイド溝でスライドするリベットが固定され、上記固定レバーと上記スライドレバーとをスライド可能に連結させることを特徴とする請求項２１に記載の携帯端末機用スライド開閉装置。
【請求項２３】
第１プレート；
上記第１プレートと平行な状態でスライド可能に結合され、スライド方向に沿って凹部と傾斜面とが連続するカムプロファイルを設けた第２プレート；
上記第１プレートに固定される固定フレーム；
第１端部が上記固定フレームにヒンジ回転可能に結合され、第２端部がこのヒンジ回転動作により上記カムプロファイルに向けて近接及び離脱する回転レバー；
一端部が上記固定フレームに固定され、他端部が上記回転レバーに固定されて引張力を発生させることで、上記第２端部を上記カムプロファイル側に近接させるための１本以上の引張バネ；及び
上記第２端部に設けられ、上記カムプロファイルに接触して回転するローラ；を含んでなる携帯端末機用スライド開閉装置。
【請求項２４】
上記固定フレームには、上記回転レバーが上記引張バネの引張力によって所定角度以上で回転することを防止するストッパーが突設されることを特徴とする請求項２３に記載の携帯端末機用スライド開閉装置。
【請求項２５】
上記第１プレートと上記第２プレートのどちらか一方の移動方向両側縁には上記第２プレートの移動方向に沿ってスライド溝が形成され、他方の移動方向両側縁には上記スライド溝にスライド可能に結合するスライドリブが形成されたガイドホルダーが固定されることを特徴とする請求項２３に記載の携帯端末機用スライド開閉装置。
【請求項２６】
上記カムプロファイルと上記回転レバーは、対称する一対として構成されることを特徴とする請求項２３乃至２５のうちいずれか一項に記載の携帯端末機用スライド開閉装置。
【請求項２７】
第１プレート；
上記第１プレートと平行な状態でスライド可能に結合され、スライド方向に沿って凹部と傾斜面とが連続するカムプロファイルを設けた第２プレート；
上記第１プレートに固定されるスライドハウジング；
上記カムプロファイルに向けて前後進可能に上記スライドハウジング内に設置されるスライド軸；
上記スライドハウジング内で上記スライド軸に弾性力を加える圧縮バネ；
上記スライドハウジング内で上記圧縮バネと共に上記スライド軸に弾性力を加えるトーションバネ；及び
上記スライド軸に軸回転可能に設置され、上記カムプロファイルに接触して回転するローラ；を含んでなる携帯端末機用スライド開閉装置。
【請求項２８】
上記スライドハウジングには、上記スライド軸が上記カムプロファイルに向けて移動できるようにガイドするための通路が形成されることを特徴とする請求項２７に記載の携帯端末機用スライド開閉装置。
【請求項２９】
上記スライドハウジングは、上部ケースと下部ケースとの結合からなり、
上記上部ケースと上記下部ケースのうちどちらか一方には、上記トーションバネのコイル部を突出させるための開放部が形成されることを特徴とする請求項２７に記載の携帯端末機用スライド開閉装置。
【請求項３０】
上記スライドハウジングは、上部ケースと下部ケースとの結合からなり、上記上部ケースと上記下部ケースのうちどちらか一方には、リベットを通過させるためにバー加工によって突出した円筒状突起部が設けられ、
上記トーションバネの一端部に形成される第１係止爪は上記円筒形突起部に結合され、他端部に形成される第２係止爪部は上記スライド軸に結合されることを特徴とする請求項２７に記載の携帯端末機用スライド開閉装置。
【請求項３１】
上記第１プレートには切込部が設けられ、上記プレートハウジングは上記切込部内に挿入された状態で上記第１プレートに固定されて上記ローラのみを上記第１プレートの上部に突出させることを特徴とする請求項２７に記載の携帯端末機用スライド開閉装置。
【請求項３２】
上記第１プレート又は上記第２プレートのどちらか一方の移動方向両側縁には第１ガイド軸が固定され、他方の移動方向両側縁には上記ガイド軸がスライド可能に結合される軸ホルダーが固定されることを特徴とする請求項２７に記載の携帯端末機用スライド開閉装置。
【請求項３３】
周りよりも高く段差を付けたスライド面が形成され、上記スライド面の所定支点に１つ以上の凹部が設けられた第１プレート；
上記スライド面に沿って移動できるように上記第１プレートにスライド可能に結合される第２プレート；
膨張力を発生させるトーションバネ；
上記トーションバネの一端部に連結されるスライド軸；
上記トーションバネ及び上記スライド軸を内部に収容し、上記スライド軸が上記スライド面の方向にのみスライド移動するようにガイドし、上記第２プレートに固定されるケース部材；及び
上記スライド軸に回転可能に結合され、上記スライド面で転動し、上記凹部に結合されて所定の制動力を発生させるローラ；を含んでなる携帯端末機用スライド開閉装置。
【請求項３４】
上記スライド面は、その中心領域が上記スライド軸に向けて突出するように傾斜して形成されることを特徴とする請求項３３に記載の携帯端末機用スライド開閉装置。
【請求項３５】
上記第２プレートには、上記ケース部材の形状に合わせた切込部が設けられ、上記切込部には上記ケース部材が挿入固定されることを特徴とする請求項３３に記載の携帯端末機用スライド開閉装置。
【請求項３６】
上記ケース部材には、上記スライド軸が上記スライド面側にのみスライド移動するようにガイドするためのガイド溝が形成されることを特徴とする請求項３３に記載の携帯端末機用スライド開閉装置。
【請求項３７】
上記スライド面は所定の間隔をもって一対が並んで設置され、
上記スライド軸は、上記スライド面間でスライド移動するように一対が具備されて上記トーションバネの両端に各々結合され、
それぞれの上記スライド軸にはそれぞれのローラが回転可能に結合されることを特徴とする請求項３３に記載の携帯端末機用スライド開閉装置。
【発明の詳細な説明】
【技術分野】
【０００１】
本発明は、携帯端末機用スライド開閉装置に関し、特に携帯端末機のディスプレイ部に初期にだけ力を加えれば自動で開閉する弾性力を提供するために弾性手段の強度を増加させ、スムーズな動作、耐久性の向上を達成するためのものである。
【背景技術】
【０００２】
最近、携帯用無線端末機の普及率が高まるにつれて、携帯端末機に対して無線通信という固有機能だけでなく、その開閉動作についても使用者の趣向に合わせた付加的な機能が要求されてきている。
【０００３】
このような要求に応えるために、携帯端末機は、一般的なバータイプから、フリップタイプ、フリップアップタイプ、折り畳みタイプなどに発展してきており、最近は折り畳みタイプの端末機が主流をなしている。
【０００４】
これは、折り畳みタイプの端末機がディスプレイ装置としてワイドなＬＣＤモジュールを採択できるほどスペースが充分であり、折り畳んで携帯することができて携帯性においても他の端末機より優れているためである。
【０００５】
一方、折り畳みタイプの端末機と同様なサイズのワイドＬＣＤモジュールを具備するディスプレイ装置が搭載可能な同時に、端末機のコンパクト化に向けたスライドタイプの端末機が知られている。このようなスライド方式の端末機は、メインボディー上でカバーに該当するサブボディーがスライド動作して開閉されるものであって、既存の折り畳みタイプ端末機の長所をそのまま生かしながら、新しい動作で開閉するという付加的な長所がある。
【０００６】
スライド方式端末機として、韓国実用新案登録出願第２００３-００００１３６号に‘スライド方式の携帯用無線端末機'が開示されている。同出願に開示された端末機は、サブボディーをメインボディー上でガイドするためのガイド手段と、サブボディーとメインボディーとの間でサブボディーの一定のスライド位置を基準として開放方向または閉鎖方向へと加圧力の方向を変化させるように設置される、少なくとも一つの弾性手段とを含んでなる。そして、弾性手段により、サブボディーは完全な開放または閉鎖動作時に別途のストッパー無しで最大開放位置または最大閉鎖位置を維持できる。
【０００７】
かかる弾性手段として、一端がメインボディーに固定され他端がサブボディーに固定されるトーションバネが採用されている。上記トーションバネは、一端がメインボディーに固定され他端がサブボディーに固定されてサブボディーの全体移動距離に亘ってトーションバネの弾性が作用するため、トーションバネが大幅に伸縮するようになる。従って、トーションバネが全体的にスムーズに動作するように弾性力の少ないトーションバネを使用し、不足する弾性力を補充するために２つのトーションバネを設置した。
【０００８】
しかしトーションバネは、その特性上、変位幅が大きくて繰り返し動作に起因する疲労のため早期に正常な機能を失ったり断線してしまう問題点があった。このように従来のスライド開閉装置は、２つのトーションバネを使用することから、組立工程が複雑でその組立作業も難しく、更にトーションバネの変位が大きくなるにつれてその寿命が短縮されるという問題点があった。
【非特許文献１】韓国実用新案登録出願第２００３−００００１３６号
【発明の開示】
【発明が解決しようとする課題】
【０００９】
本発明は、上述した問題点を解決するために案出されたものであって、携帯端末機のディスプレイ部に初期にだけ力を加えれば自動で開閉される弾性力を提供するために弾性手段の強度を増加させ、スムーズな動作、耐久性の向上を成し遂げるためのものである。
【課題を解決するための手段】
【００１０】
上記目的を達成するための第１の本発明は、
第１プレート；
上記第１プレートとスライド可能に結合され、スライド方向に沿ってカムプロファイルが形成された第２プレート；及び
上記第２プレートの移動方向と直交する方向に弾性力を発生させるように、
上記第１プレートに装着される弾性部材；からなり、
上記弾性部材は、
上記第１プレートに装着されるハウジング；
上記ハウジングの内部にスライド可能に装着されるスライダー；
上記ハウジングと上記スライダーの一端との間に装着されるバネ；及び
上記スライダーの他端に装着され、上記カムプロファイルに沿ってスライドするローラ；からなる携帯端末機用スライド開閉装置を提供する。
【００１１】
上記のような目的を達成するための第２の本発明は、
第１プレート；
上記第１プレートと平行な状態でスライド可能に結合され、スライド方向に沿って凹部と傾斜面とが連続するカムプロファイルを設けた第２プレート；
上記第１プレートに固定されるスライドハウジング；
上記カムプロファイルに向けて前後進可能に上記スライドハウジングに設置される移動ブロック；
上記スライドハウジングに支持され上記移動ブロックに弾性力を加える１本以上の圧縮バネ；及び
上記移動ブロックに軸回転可能に設置され、上記カムプロファイルに接触して回転するローラ；を含んでなる携帯端末機用スライド開閉装置を提供する。
【００１２】
上記目的を達成するための第３の本発明は、
第２カバー；
上記第２カバーにスライド可能に結合された第３カバー；
上記第２カバーに対して上記第３カバーを長手方向に沿って直進移動可能に案内するガイド部材；及び
上記第２カバーと第３カバーとの間に装着され上記第３カバーのスライド時に上記第３カバーが所定の位置に停止するようにするプランジャーアセンブリー；からなり、
上記プランジャーアセンブリーは、一端が開放されたハウジング部材；
上記ハウジング部材にスライド可能に挿入され、一端にはローラが回動可能に結合され、他端には長手方向に挿入軸が形成されたプランジャー；及び
上記挿入軸に挿着されて上記プランジャーを弾性支持する圧縮バネ；を含んでなり、上記プランジャーの底面には長手方向に長く係止溝が設けられ、上記ハウジング部材の底面には上記係止溝に挿入されて上記プランジャーの移動を制限するストッパーが突設された携帯端末機用スライド開閉装置を提供する。
【００１３】
上記のような目的を達成するための第４の本発明は、
第１プレート；
上記第１プレートと平行な状態でスライド可能に結合され、スライド方向に沿って凹部と傾斜面とが連続するカムプロファイルを設けた第２プレート；
上記第１プレートに固定される固定レバー；
上記固定レバーと面接触し、上記カムプロファイルに向けて前後進可能に置かれるスライドレバー；
上記固定レバーの端部側に一端が連結され、上記スライドレバーの対向する端部側に他端が連結されて、上記スライドレバーが上記カムプロファイル側に前進する弾性力を発生させるための１本以上の引張バネ；及び
上記スライドレバーに軸回転可能に設置され、上記カムプロファイルに接触して回転するローラ；を含んでなる携帯端末機用スライド開閉装置を提供する。
【００１４】
上記のような目的を達成するための第５の本発明は、第１プレート；
上記第１プレートと平行な状態でスライド可能に結合され、スライド方向に沿って凹部と傾斜面とが連続するカムプロファイルを設けた第２プレート；
上記第１プレートに固定される固定フレーム；
第１端部が上記固定フレームにヒンジ回転可能に結合され、第２端部がこのヒンジ回転動作により上記カムプロファイルに向けて近接及び離脱する回転レバー；
一端部が上記固定フレームに固定され、他端部が上記回転レバーに固定されて引張力を発生させることで、上記第２端部を上記カムプロファイル側に近接させるための１本以上の引張バネ；及び
上記第２端部に設けられ、上記カムプロファイルに接触して回転するローラ；を含んでなる携帯端末機用スライド開閉装置を提供する。
【００１５】
上記のような目的を達成するための第６の本発明は、第１プレート；
上記第１プレートと平行な状態でスライド可能に結合され、スライド方向に沿って凹部と傾斜面とが連続するカムプロファイルを設けた第２プレート；
上記第１プレートに固定されるスライドハウジング；
上記カムプロファイルに向けて前後進可能に上記スライドハウジング内に設置されるスライド軸；
上記スライドハウジング内で上記スライド軸に弾性力を加える圧縮バネ；
上記スライドハウジング内で上記圧縮バネと共に上記スライド軸に弾性力を加えるトーションバネ；及び
上記スライド軸に軸回転可能に設置され、上記カムプロファイルに接触して回転するローラ；を含んでなる携帯端末機用スライド開閉装置を提供する。
【００１６】
上記のような目的を達成するための第７の本発明は、周りよりも高く段差を付けたスライド面が形成され、上記スライド面の所定箇所に１つ以上の凹部が設けられた第１プレート；
上記スライド面に沿って移動できるように上記第１プレートにスライド可能に結合される第２プレート；
膨張力を発生させるトーションバネ；
上記トーションバネの一端部に連結されるスライド軸；
上記トーションバネ及び上記スライド軸を内部に収容し、上記スライド軸が
上記スライド面の方向にのみスライド移動するようにガイドし、上記第２プレートに固定されるケース部材；及び
上記スライド軸に回転可能に結合されて上記スライド面で転動し、上記凹部に結合されて所定の制動力を発生させるローラ；を含んでなる携帯端末機用スライド開閉装置を提供する。
【発明の効果】
【００１７】
以上のように本発明は、ディスプレイ部の移動方向に沿って形成されたカムプロファイルと、カムプロファイル側に弾性力を加えてディスプレイ部を停止させたり移動方向に持続的な加速度を与えるための弾性手段とを有する構造を適用することにより、弾性手段の強度を増加させ、スムーズな動作及び耐久性の向上などを達成できる効果を有する。
【００１８】
以上では本発明を特定の実施例をもって説明したが、本発明は上記した実施例に限定されず、特許請求の範囲で請求する本発明の要旨を逸脱しない限り、本発明の属する分野について通常の知識を有する者によって様々に変形されることができる。
【００１９】
たとえば、上記本発明の実施例における弾性手段として、圧縮／引張コイルバネまたはトーションバネが用いられたが、当該技術分野の通常の技術者ならば、上記圧縮／引張バネまたはトーションバネがジグザグバネに代替できることが分かるだろう。すなわち、本出願人が２００６年３月２９日付で出願した大韓民国意匠登録出願第３０−２００６−００１１５６９号に開示されたジグザグバネ、又は２００５年２月４日付で出願した大韓民国特許出願第１０−２００５−１０５４９号に開示されたジグザグバネを、上記圧縮／引張バネまたはトーションバネに取り替えても本発明の効果は達成される。
【発明を実施するための最良の形態】
【００２０】
以下、添付の図面を参照し、本発明の望ましい第１実施例について詳細に説明する。
【００２１】
図１は本発明の第１実施例による携帯端末機の一方向分離斜視図であり、図２は本発明の第１実施例による携帯端末機の他方向分離斜視図、図３は本発明の第１実施例によるスライド開閉装置の結合斜視図、図４は図３のスライド開閉装置の横方向断面図である。
【００２２】
図１乃至図３に示すように、携帯端末機用スライド開閉装置は、第１プレート２０、第２プレート４０及び弾性部材３０からなる。
【００２３】
第１プレート２０は本体部１０に結合され、第２プレート４０は、その一面にディスプレイ部５０が組み立てられて第１プレート２０にスライド可能に結合される。
【００２４】
弾性部材３０は、第１プレート２０と第２プレート４０との間に配置するように、第１プレート２０にリベット６０などの締結手段によって装着される。この時、弾性部材３０は、第２プレート４０の移動方向と直交する方向に弾性力を加えるように、第２プレート４０の移動方向と垂直に配置される。
【００２５】
第２プレート４０をスライド可能にするために、第１プレート２０の移動方向両側縁の一部、つまり中央部には、図１乃至図４に示すように第２プレート４０の移動方向両側縁に接する側縁ガイド部２２がそれぞれ突設される。
【００２６】
図４に示すように、第２プレート４０の移動方向両側縁には、第２プレート４０の移動方向に沿って第２安着溝４３が設けられ、上記第１プレートの側縁ガイド部２２には第２安着溝４３に対応して第１安着溝２３が設けられており、第１安着溝２３と第２安着溝４３との間にはガイドロッド４５が溝の全体長さにわたって装着される。
【００２７】
すなわち、ガイドロッド４５が円筒状であるために、第１安着溝２３及び第２安着溝４３は各々断面が半弧状で互いに接して円形をなすようになっている。
【００２８】
従って、第２プレート４０は、ガイドロッド４５によって第１プレート２０に対して分離されることなく結合され、第２プレート４０の第２安着溝４３がガイドロッド４５に沿って移動するようになり、第２プレート４０が上下にスライドできるようになる。
【００２９】
第１プレート２０には、弾性部材３０を嵌着するための弾性部材嵌着孔２１が設けられ、第２プレート４０には、その内側に第２プレート４０の移動方向に沿って弾性部材３０と、詳しくは、弾性部材３０のローラ３９と接するカムプロファイル４２が設けられている。
【００３０】
第１プレート２０に弾性部材嵌着孔２１を設け、弾性部材３０を弾性部材嵌着孔２１に嵌着して結合することにより、第１プレート２０と第２プレート４０とを結合する場合、弾性部材３０のスペース分の厚さを減らして開閉装置をスリムにすることができ、さらには携帯端末機を薄型化することができるようになる。
【００３１】
カムプロファイル４２は、第２プレート４０の移動方向の一内側縁に多数の傾斜面が、第２プレート４０の移動方向に沿って互いに異なる方向にジグザグ状に設けられてなる。
【００３２】
詳しくは、図３に示すように上記傾斜面は、凹んで形成された基準位置４２ａから上方向と下方向とに形成されている。
【００３３】
上方向に形成された傾斜面は、一端が基準位置４２ａとなり他端が基準位置４２ａから左上方向に形成された第１上傾斜面４２ｂと、一端が第１上傾斜面４２ｂと接して他端が第１上傾斜面４２ｂから右上方向に延在する第２上傾斜面４２ｃとからなる。
【００３４】
また、下方向に形成された傾斜面は、一端が基準位置４２ａとなり他端が基準位置４２ａから左下方向に形成された第１下傾斜面４２ｄと、一端が第１下傾斜面４２ｄと接して他端が第１下傾斜面４２ｄから右下方向に延在する第２下傾斜面４２ｅとからなる。
【００３５】
この時、第１上傾斜面４２ｂの一端及び第１下傾斜面４２ｄの一端の位置は、基準位置４２ａと同じ位置であり、基準位置４２ａ、第２上傾斜面４２ｃの他端及び第２下傾斜面４２ｅの他端は、第２プレート４０の側縁からの距離が互いに同一であるように形成することが好ましい。
【００３６】
図５は本発明の第１実施例による弾性部材３０の分離斜視図であり、図６は本発明の第１実施例による弾性部材３０の結合状態を示す斜視図、図７は本発明の第１実施例による弾性部材３０の作動状態の斜視図、図８は図６の弾性部材の横方向断面図である。
【００３７】
図３、及び図５乃至図８に示すように、弾性部材３０は、第１プレート２０の弾性部材嵌着孔２１に装着されるハウジング３１と、ハウジング３１内部にスライド可能に装着されるスライダー３５と、ハウジング３１とスライダー３５の一端との間に装着されるバネ３４と、スライダー３５の他端に装着されてカムプロファイル４２に沿ってスライドするローラ３９とからなる。
【００３８】
ハウジング３１の上面には長孔３２が設けられており、スライダー３５には長孔３２に沿ってスライドする突起片３６が上面に突設されている。
【００３９】
突起片３６が長孔３２に沿ってスライドするため、スライダー３５の揺動が防止され、また突起片３６が長孔３２の中でのみ移動するため、スライダー３５の移動区間を制限するストッパーの役割をする。また、突起片３６が突設されて、スライダー３５がハウジング３１から容易に分離されることも防止できる。尚、スライダー３５の一端にはバネ３４が挿入される支持突起３７が突設されてバネ３４を支持する。
【００４０】
そして、図８に示すように、ハウジング３１の下面にはスライダー３５の移動方向に沿ってバネ３４の側面を支持するバネ支持部３３が突設されている。
【００４１】
従って、スライダー３５がバネ３４を圧縮させる場合、バネ支持部３３によってバネ３４の側面が支持されるため、バネ３４がねじることを防止できる。バネ支持部３３はハウジング３１の下面を上方向に折り曲げて形成することが望ましい。
【００４２】
また、スライダー３５の下面には、図５及び図８に示すように、バネ支持部３３に対応するスライド溝３８が形成されている。
【００４３】
これにより、スライダー３５の移動時にバネ支持部３３がガイドの役割をして、スライダー３５は左右に揺動することなく前後方向にだけスライドすることができる。
【００４４】
ハウジング３１は、図８に示すように上面部材３１ａと下面部材３１ｂとからなり、下面部材３１ｂにはバネ支持部３３が形成され、バネ支持部３３間にバネ３４を配置してローラ３９が装着されたスライダー３５を挿入した後、上面部材３１ａの長手方向両側をプレスなどを用いて下面部材３１ｂの長手方向両側に結合させることによって容易に組立てることができる。
【００４５】
この時、スライダー３５は、上述した通り突起片３６が長孔３２に係止されるためにハウジング３１から離脱されない。
【００４６】
ローラ３９はスライダー３５の他端にリベット６０などで回転可能に装着されるが、この時、ローラ３９はカムプロファイル４２と容易に接するように、カムプロファイル４２と接する方向に突出装着することが望ましい。
【００４７】
上記のように、弾性部材３０は予め組み立てられて一つの部品をなしているため、弾性部材３０を第１プレート２０に対して容易に装着することで組立時間を短縮させることができ、また弾性部材３０自体の組立も容易である。
【００４８】
図９は本発明の第１実施例による上方向にスライドしてオープンされた状態の携帯端末機の斜視図、及びスライド開閉装置の斜視図であり、図１０は本発明の第１実施例による下方向にスライドしてオープンされた状態の携帯端末機の斜視図、及びスライド開閉装置の斜視図である。
【００４９】
まず、図３に示されているように第２プレート４０の移動前にはローラ３９は基準位置４２ａに停止している。
【００５０】
この時、弾性部材３０の弾性力が第２プレート４０の移動方向と直交する方向に作用するため、第２プレート４０は任意で上下に移動することはない。
【００５１】
図９（ａ）に示すように、ディスプレイ部５０を上方に押し上げると第２プレート４０も上方に押し上げられるが、この時の上記開閉装置の作動状態を察してみると、図９（ｂ）に示すように、第２プレート４０の第１下傾斜面４２ｄはローラ３９を押して上向きに移動する。
【００５２】
ローラ３９が第１下傾斜面４２ｄと第２下傾斜面４２ｅとが接する変曲点を若干通ると、使用者が力を加えなくても弾性部材３０の弾性力によりローラ３９は第２下傾斜面４２ｅに沿ってスライドし、これによって図９（ｃ）に示すように、第２プレート４０が上方向にスライドして完全にオープンされる。
【００５３】
この時にも、上述した通り、弾性部材３０の弾性力が第２プレート４０の移動方向と直交する方向に作用するため、第２プレート４０は任意に上下に移動することはない。
【００５４】
図１０（ａ）に示すように、ディスプレイ部５０を下方に押し下げると第２プレート４０も下方に押し下げられるが、この時の上記開閉装置の作動状態を察してみると、図１０（ｂ）に示すように第２プレート４０の第１上傾斜面４２ｂはローラ３９を押して下向きに移動する。
【００５５】
ローラ３９が第１上傾斜面４２ｂと第２上傾斜面４２ｃとが接する変曲点を若干通ると、使用者が力を加えなくても弾性部材３０の弾性力により、ローラ３９は第２上傾斜面４２ｃに沿ってスライドし、これによって、図１０（ｃ）に示すように第２プレート４０は下方向にスライドして完全にオープンされる。
【００５６】
この時にも、上述した通り、弾性部材３０の弾性力が第２プレート４０の移動方向４０と直交する方向に作用するため、第２プレート４０は任意で上下に移動することはない。
【００５７】
このように、弾性部材３０が第２プレート４０の移動方向と直交する方向に配置されていて、弾性部材３０の弾性力がカムプロファイル４２に一層強く作用し、弾性部材４２の弾性力を効率的に利用することができる。これにより、弾性部材の数を節減させ、バネがねじることなく圧縮して弾性部材の寿命も延長させることができるようになる。また、上記カムプロファイル及び弾性部材により、携帯端末機のディスプレイ部に初期に力を加えるだけで自動で開閉させることができる。
【００５８】
以下、本発明による開閉装置の良好な第２実施例につき、添付図面を参照して説明する。
【００５９】
図１１は本発明の第２実施例によるスライド開閉装置の分解斜視図であり、図１２は図１１に示す開閉装置の分解斜視図、図１３は図１２に示す開閉装置の結合状態斜視図、図１４及び図１５は図１１に示す開閉装置の部分組立斜視図である。
【００６０】
携帯端末機のサブボディー１３０をメインボディー１１０にスライド可能に結合させるための開閉装置は、メインボディー１１０に固定される第１プレート１２０；第１プレート１２０と平行な状態でスライド可能に結合され、スライド方向に沿って凹部と傾斜面１４４とが連続するカムプロファイルを設けてサブボディ１３０に固定される第２プレート１４０；第１プレート１２０に固定されるスライドハウジング１６０；カムプロファイルに向けて前後進可能にスライドハウジング１６０に設置される移動ブロック１７０；スライドハウジング１６０に支持され移動ブロック１７０に弾性力を加える多数の圧縮バネ１９０；及び移動ブロック１７０に軸回転可能に設置され、カムプロファイルに接触して回転するローラ１８０；を含んでなる。
【００６１】
スライドハウジング１６０にはＵ字状の２本のガイド軸２００が固定され、移動ブロック１７０は、ガイド軸２００がスライド可能に結合される第２軸孔１７２が形成されてガイド軸２００に沿って移動し、４つの圧縮バネ１９０はＵ字状のガイド軸２００の直線状端部にそれぞれ嵌着される。
【００６２】
スライドハウジング１６０の一端には、それぞれのガイド軸２００の直線状端部に結合される第１軸孔１６２が設けられる。スライドハウジング１６０の他端には、ガイド軸２００の屈折した部分の一部が挿入される第１屈折溝１６４が設けられ、ガイド軸２００の屈折した残りの部分が挿入される第２屈折溝１６８が設けられたプレート１６６が、スライドハウジング１６０に結合される。
【００６３】
第２プレート１４０のカムプロファイルは、中心領域に第１凹部１４２が設けられ、第１凹部１４２の一側に山形の傾斜面１４４が形成され、傾斜面１４４の端部には第２凹部１４６が設けられる。そして、第１凹部１４２の他側には平坦なフリーストップ区間１４８が形成され、フリーストップ区間１４８の終端に第３凹部１５０が設けられる。
【００６４】
ローラ１８０は、リベット１８２にて移動ブロック１７０に回転可能に結合される。ローラ１８０は第２プレート１４０の移動時にカムプロファイルに沿って回転して摩擦を減らす。
【００６５】
このようなローラ１８０が第１凹部１４２に結合された状態はサブボディー１３０がメインボディー１１０に結合されて開閉装置がクローズされた状態であり、ローラ１８０が第２凹部１４６に結合された状態はサブボディー１３０がメインボディー１１０上で上方向にスライドしてオープンされた状態、またローラ１８０が第３凹部１５０に結合された状態はサブボディー１３０がメインボディー１１０上で下方向にスライドしてオープンされた状態である。
【００６６】
そして、ローラ１８０が傾斜面１４４の上り傾斜を上る時は圧縮バネ１９０の弾性力が第２プレート１４０の移動を妨げる力として作用し、ローラ１８０が傾斜面１４４の変曲点を通って下り傾斜を下る時は圧縮バネ１９０の弾性力が第２プレート１４０を押して自動で移動するようにする。
【００６７】
またローラ１８０がフリーストップ区間１４８を通る時は、圧縮バネ１９０の弾性力は第２プレート１４０の移動に影響を与えない。したがって、ローラ１８０がフリーストップ区間１４８に位置した状態で第２プレート１４０の移動が停止することもできる。
【００６８】
第１プレート１２０には切込部１２２が設けられ、スライドハウジング１６０は切込部１２２内に挿入された状態で第１プレート１２０に固定され、ローラ１８０のみを第１プレート１２０の上部に突出させることで、開閉装置全体の厚さを減少させることができる。
【００６９】
第２プレート１４０の移動方向両側縁には第１ガイドリブ１５２が設けられ、第１ガイドリブ１５２にスライド可能に結合される第２ガイドリブ２１２を設けた一対のトラックガイド２１０が、第１プレート１２０の移動方向両側縁に固定されることで、第２プレート１４０が第１プレート１２０上でスライド可能になる。
【００７０】
トラックガイド２１０は螺子にて第１プレート１２０に固定される。トラックガイド２１０は金属のプレス物をプラスチック射出物にインサートさせて製作する。これによって、トラックガイド２１０は外面がプラスチック射出物からなるため、第２プレート１４０と接触する摩擦が減少し、内部の金属プレス物により剛性は向上するようになる。
【００７１】
以下は、上記のような構成の開閉装置の作用について説明する。
【００７２】
図１６乃至図２０は図１１に示す開閉装置の作用を示す要部斜視図であり、図２１は図１１に示す開閉装置の使用状態斜視図である。
【００７３】
サブボディー１３０がメインボディー１１０に結合されて開閉装置がクローズされた状態では、図１６と同様に、圧縮バネ１９０が移動ブロック１７０及びローラ１８０を押してローラ１８０が第１凹部１４２に結合された状態が維持される。
【００７４】
サブボディー１３０を上方に押し上げると、図１７に示すように、ローラ１８０が第１凹部１４２から抜け出て傾斜面１４４を通るが、ローラ１８０が傾斜面１４４の上り傾斜を上る時は圧縮バネ１９０の弾性力によって抵抗力を受け、変曲点を通ると圧縮バネ１９０の弾性力によって第２プレート１４０は自動で上方向にスライドしてオープンされる。
【００７５】
また図１８に示すように、ローラ１８０が第２凹部１４６に結合されると、圧縮バネ１９０の弾性力により制動力が発生する。
【００７６】
一方、サブボディー１３０を、図１９に示すように下方に押し下げると、ローラ１８０がフリーストップ区間１４８を通るようになる。この区間では圧縮バネ１９０の弾性力は、第２プレート１４０の移動に影響を与えないようになる。したがって、使用者はサブボディー１３０を下方へ移動させる途中に停止させることが可能になる。
【００７７】
ローラ１８０はフリーストップ区間１４８を通り過ぎると、図２０のように第３凹部１５０に結合される。ここでもローラ１８０は圧縮バネ１９０の弾性力により停止力を発生させる。
【００７８】
以下、添付図面を参照して本発明の第３実施例に対して詳細に説明する。
【００７９】
図２２は第３実施例による開閉装置の斜視図であり、図２３は図２２の開閉装置の作動状態を示す斜視図、図２４は図２２の開閉装置の一方向分離斜視図、図２５は図２２の開閉装置の他方向分離斜視図である。
【００８０】
図２２乃至図２５に示すように、本実施例の開閉装置は、第２カバー１１００、第３カバー１２００、ガイド部材１４００，１５００、及びプランジャーアセンブリー１３００を含んでなる。
【００８１】
図２２（ａ）は開閉装置の全面斜視図、図２２（ｂ）は開閉装置の背面斜視図であり、図２３（ａ）は第３カバー１２００がスライドアップした状態を示す図、図２３（ｂ）は第２カバー１１００がスライドアップした状態を示す図である。
【００８２】
第２カバー１１００は図示しない第１カバーと結合し、第１カバーには携帯端末の印刷回路基板が設置され、その後面にはバッテリーが装着される。
【００８３】
第３カバー１２００は図示しない第４カバーと結合し、第４カバーには携帯端末のディスプレイ部が装着されている。
【００８４】
第２カバー１１００の上部領域には、図２３（ｂ）に示すように、ミュージックキーパッド１１１０、小型カメラなどが設置され、下部領域にはキーパッドなどが設置される。
【００８５】
第３カバー１２００は第２カバー１１００にスライド可能に結合するが、このために、第３カバー１２００及び第２カバー１１００のそれぞれの移動方向両側縁にガイド部材１４００，１５００が装着されて、第３カバー１２００が第２カバー１１００に対して上下方向に直進移動、つまりスライド移動可能に案内する。
【００８６】
ガイド部材１４００，１５００は、図２４及び図２５に示すように、スライドトラック１４２０，１５２０とスライド面１４１０，１５１０からなり、その詳細は後述する。
【００８７】
プランジャーアセンブリー１３００は、第２カバー１１００と第３カバー１２００との間に装着されて第３カバー１２００のスライド時に第３カバー１２００を所定の位置で停止させる役割をする。
【００８８】
図２６は第３実施例のプランジャーアセンブリー１３００の斜視図であり、図２７は第３実施例のプランジャーアセンブリー１３００の分離斜視図、図２８は第３実施例のプランジャーアセンブリー１３００のハウジングの斜視図、図２９は第３実施例のプランジャーアセンブリー１３００のプランジャー１３２０の斜視図、図３０は第３実施例のプランジャーアセンブリー１３００の部分切断面図である。
【００８９】
図２６乃至図３０に示すように、プランジャーアセンブリー１３００はハウジング部材１３１０、プランジャー１３２０、及び圧縮バネ１３３０を含んでなる。
【００９０】
ハウジング部材１３１０は、図２７に示すように、一端が開放されていて、ここからプランジャー１３２０と圧縮バネ１３３０が挿入される。
ハウジング部材１３１０は第１ハウジング１３１１と第２ハウジング１３１２との結合からなり、第２ハウジング１３１２には第１ハウジング１３１１との間にプランジャー１３２０を挿入すべき収容空間が凹んで形成されている。
【００９１】
この時、第１ハウジング１３１１と第２ハウジング１３１２とは各々別個に製作して結合しても良いが、図２８（ａ）のように展開した場合、第１ハウジング１３１１及び第２ハウジング１３１２のそれぞれの一側縁１３１４を一対に連結して製作することが望ましい。
【００９２】
図２８（ａ）に示すように、第１ハウジング１３１１と第２ハウジング１３１２とを一体に連結して製作し、その後図２８（ｂ）に示すように、第１ハウジング１３１１と第２ハウジング１３１２とが連結された一側縁１３１４を折り曲げて図２８（１ｃ）に示すように第１ハウジング１３１１と第２ハウジング１３１２とを相互結合させる。
【００９３】
この時、第１ハウジング１３１１と第２ハウジング１３１２とが一体に連結された一側縁１３１４の反対側の他側縁は、バンディング結合することが望ましい。
【００９４】
このように、第１ハウジング１３１１と第２ハウジング１３１２とを一体に連結するように製作し折り曲げて結合させることで、第１ハウジング１３１１と第２ハウジング１３１２を別々に製作して結合させる場合より、ハウジング部材１３１０の組立性を一層向上させることができる。
【００９５】
また、ハウジング部材１３１０の底面、具体的には第２ハウジング１３１２の底面には、図２８に示すようにストッパー１３１３が突出形成されているが、これは後述するようにプランジャー１３２０の移動を制限する役割をする。
【００９６】
プランジャー１３２０は図２７に示すように、ハウジング部材１３１０の一端にスライド可能に挿入され、その一端にはローラ１３２７が回動可能に結合され、他端には長手方向に挿入軸１３２５が形成されている。
【００９７】
そして、挿入軸１３２５にはプランジャー１３２０を弾性支持する圧縮バネ１３３０が挿入されている。
【００９８】
この時、プランジャー１３２０のフレーム１３２１は金属材質であり、図２９に示すように、ＰＯＭ射出によってその底面に長手方向に長く係止溝１３２２が設けられ、他端には挿入軸１３２５が形成される。
【００９９】
図３０に示すように、係止溝１３２２には、ストッパー１３１３が係合しプランジャー１３２０の移動時に係止溝１３２２の両側がストッパー１３１３に係止されて、プランジャー１３２０は制限された距離だけ移動するようになる。
【０１００】
また、ストッパー１３１３はハウジング部材１３１０の他端方向、すなわち開放されていない方向に上向きに傾斜するように突設され、上下方向に弾性力を有している。
【０１０１】
従って、ハウジング部材１３１０にプランジャー１３２０を挿入しようとする時、プランジャー１３２０をハウジング部材１３１０に押し込むと、ストッパー１３１３がハウジング部材１３１０の他端方向に上向きに傾斜するように突設されているため、ストッパー１３１３はプランジャー１３２０によって自然に下方へ押し下げられ、係止溝１３２２がストッパー１３１３の位置まで移動すると、ストッパー１３１３は弾性力によって元の状態に復元されて係止溝１３２２に挿入されるようになる。
【０１０２】
また、係止溝１３２２には、プランジャー１３２０の一端方向、すなわちローラ１３２７の装着される方向にストッパー１３１３と対応する傾斜面を形成することにより、制限された空間で係止溝１３２２の大きさを最大限に大きく形成することができる。
【０１０３】
このようなプランジャーアセンブリー１３００は、ハウジング部材１３１０を結合させた後、圧縮バネ１３３０とプランジャー１３２０をハウジング部材１３１０に挿入するだけで済むため、組立が非常に容易である。
【０１０４】
上記のようなプランジャーアセンブリー１３００は、図３１に示すように第２カバー１１００に結合するが、このために、図２６に示すように、ハウジング部材１３１０の他端には挿入突起１３１５が形成され、第２カバー１１００には、図３１に示すように挿入固定部１１１５が形成されている。
【０１０５】
固定方法は、図３１（ａ）に示すように、挿入突起１３１５を挿入固定部１１１５に嵌め込みプランジャーアセンブリー１３００の他端を第２カバー１１００にフック結合して固定させ、図３１(ｂ）に示すようにプランジャーアセンブリー１３００の他端又は残りの部分に、リベットや螺子などの締結手段１６００を用いて第２カバー１１００に固定結合させる。
【０１０６】
このようにプランジャーアセンブリー１３００を第２カバー１１００にフック結合して一部分固定させた後、リベットや螺子などの締結手段１６００を用いて結合するため、プランジャーアセンブリー１３００を第２カバー１１００の組立位置に容易に配置することができ、組立性及び生産性が向上する。
【０１０７】
一方、第３カバー１２００には、図３２に示すように第２カバー１１００に装着されたプランジャーアセンブリー１３００が安着するようにその移動方向に案内溝１２３０が設けられ、移動方向側縁には、後述するガイド部材１４００，１５００のスライドトラック１４１０、１５１０を嵌め込むスライド溝１２５０が設けられている。
【０１０８】
図３２（ａ）は第３カバー１２００の斜視図であり、図３２(ｂ）は案内溝１２３０を拡大したものである。
【０１０９】
案内溝１２３０には、少なくとも一つ以上の停止溝１２３１，１２３２，１２３３が設けられ、プランジャー１３２０のローラ１３２７が係止されて所定の位置で停止するようになる。
【０１１０】
すなわち、プランジャー１３２０が図３２（ｂ）の中央に位置する第１停止溝１２３１に位置していて第３カバー１２００を移動させると、プランジャー１３２０は第１停止溝１２３１から離脱して圧縮バネ１３３０を圧縮する方向に後退するようになり、第３カバー１２００を継続して移動させると、プランジャー１３２０はローラ１３２７の回転により第２停止溝１２３２又は第３停止溝１２３３まで移動するようになる。
【０１１１】
ローラ１３２７が第２停止溝１２３２又は第３停止溝１２３３まで移動するようになると、圧縮されていた圧縮バネ１３３０の弾性復元力によりプランジャー１３２０は第２停止溝１２３２又は第３停止溝１２３３の方向へ移動し、これによってローラ１３２７は第２停止溝１２３２又は第３停止溝１２３３に係止されて第３カバー１２００が任意で上下方向へ移動することを防止する。
【０１１２】
この時、図３２(ｂ）に示すように、第１停止溝１２３１の自由端部分、すなわち、第３カバー１２００にプランジャーアセンブリー１３００を組立てる時に、第１停止溝１２３１でプランジャーアセンブリー１３００が挿入される部分には、下向きに傾斜した挿入傾斜部１２３５が形成されている。
【０１１３】
これによって、プランジャーアセンブリー１３００を案内溝１２３０に安着させて組み立てるとき、ローラ１３２７の側面が挿入傾斜部１２３５に沿って滑り第１停止溝１２３１に容易に挿入されることができる。
【０１１４】
一方、第２カバー１１００と第３カバー１２００のそれぞれの移動方向側縁には、図２２及び図２３に示すようにガイド部材１４００，１５００が装着され、第３カバー１２００を第２カバー１１００に対して上下方向にスライド可能に案内している。
【０１１５】
ガイド部材１４００，１５００は、図２４及び図２５に示すように、第１及び第２スライドトラック１４２０及び１５２０と、第１及び第２スライド面１４１０及び１５１０とからなる。
【０１１６】
図３３は第３実施例による開閉装置の一側面を示す構造図である。
【０１１７】
同図に示すように、第２カバー１１００及び第３カバー１２００の移動後方一側縁、つまりプランジャーアセンブリー１３００が第３カバー１２００を押す方向の側縁に装着される第１ガイド部材１４００は、第１スライドトラック１４２０と第１スライド面１４１０とからなる。
【０１１８】
図３４は第３実施例の第１スライド面１４１０を示す斜視図であり、図３５は第３実施例の第２カバー１１００に第１スライド面１４１０を結合する構造を示す斜視図、図３６は第３実施例の第２カバー１１００に第１スライド面１４１０と第１スライドトラック１４２０とを結合した構造を示す斜視図である。
【０１１９】
図３３に示すように、第１スライド面１４１０は、第２カバー１１００の一側縁と第３カバー１２００の一側縁とが直接当接しないように、第２カバー１１００と第３カバー１２００との間に配置される。
【０１２０】
この時、第１スライド面１４１０はＰＯＭ射出による合成樹脂製にすることが望ましい。
【０１２１】
このように第１スライド面１４１０を合成樹脂製にすることで、金属材質からなる第２カバー１１００と第３カバー１２００のスライド時に発生し得る金属摩擦音などの騷音を防止するとともに、第２カバー１１００と第３カバー１２００のスライドをよりスムーズにすることができる。
【０１２２】
第１スライド面１４１０は、図３４に示すように上下に長く形成されていて、裏面部には第１係止突起１４１１と第１固定突起１４１４とが設けられ、表面部には第１スライド接触部１４１２が設けられている。
【０１２３】
また、第２カバー１１００の移動方向一側縁には、図３３及び図３５に示すように第１スライド面１４１０の第１係止突起１４１１が係止されて第１スライド面１４１０の離脱を防止する第１離脱防止段１１４１と、第１固定突起１４１４が挿入されて第２カバー１１００と第１スライド面１４１０とが一体に移動できるようにするための第１固定溝１１４４とが形成されている。
【０１２４】
第１スライド面１４１０は、図３３に示すように、第１スライド接触部１４１２により第３カバー１２００の一側縁を囲んで接触する。
【０１２５】
この時、第１スライド接触部１４１２は、上部が第３カバー１２００の移動方向両側縁に形成されたスライド溝１２５０に挿入されるように曲げられている。
【０１２６】
第１スライド面１４１０の外面は、図３３に示すように第１スライドトラック１４２０に囲まれ支持される。
【０１２７】
すなわち、第１スライド面１４１０は、第１スライドトラック１４２０と第３カバー１２００と第２カバー１１００の間に配置され、第１スライド面１４１０と第２カバー１１００がスライドする時に第３カバー１２００と直接当接して騷音を未然に防止することができる。
【０１２８】
第１スライドトラック１４２０は、その下部が第２カバー１１００の側面に装着され、上部が第３カバー１２００のスライド溝１２５０方向に曲がって挿入されるため、第３カバー１２００と第２カバー１１００とは分離されることなく上下方向にスライドすることができる。
【０１２９】
この時、第３カバー１２００と第２カバー１１００が共にスライドするように、第１スライド面１４１０及び第１スライドトラック１４２０の長さを、スライド溝１２５０の長さよりも小さくすることは勿論である。
【０１３０】
上記のように、第１スライド接触部１４１２の上部が第３カバー１２００のスライド溝１２５０に挿入されているため、第１スライドトラック１４２０の上部が第３カバー１２００のスライド溝１２５０の底面と直接接触して発生する騷音を防止できる。
【０１３１】
また、図２４、図２５、図３６に示すように、第２カバー１１００の移動方向側縁には挿入位置突起１１２７が突設され、第１スライドトラック１４２０には挿入位置突起１１２７が挿入される第１挿入孔１４２７が設けられているため、第１スライドトラック１４２０を第２カバー１１００に容易に仮組立てし、その後締結手段１６００を用いて固定結合することで組立性を向上させることができる。
【０１３２】
従って、第１スライド面１４１０は、第１固定突起１４１４が第１固定溝１１４４に挿入されて第２カバー１１００に結合され、第１スライドトラック１４２０は、第１挿入孔１４２７が挿入位置突起１１２７に挿入されて締結手段１６００により第２カバー１１００に結合されることで、第１スライド面１４１０と第１スライドトラック１４２０と第２カバー１１００は一緒に同時に移動できるようになる。
【０１３３】
また、図３６に示すように、第１スライド面１４１０の第１スライド接触部１４１２の長さは、第１スライドトラック１４２０の上部、つまり曲がった部分の長さよりも約０．１ｍｍ程長くして両側に突出するようにすることが望ましい。
【０１３４】
このように第２カバー１１００または第３カバー１２００がスライドして第１スライドトラック１４２０の上部両端がスライド溝１２５０の終端に接する場合、スライド溝１２５０の終端に合成樹脂からなる第１スライド面１４１０の第１スライド接触部１４１２の両端が先に接して、第１スライドトラック１４２０とスライド溝１２５０との当接から発生する金属騷音を未然に防止することができる。
【０１３５】
図３７は第３実施例の開閉装置の他側面を示す構造図である。
【０１３６】
同図に示すように、第２カバー１１００と第３カバー１２００の移動方向他側縁、つまりプランジャーアセンブリー１３００が第３カバー１２００を押す方向の側縁の反対側となる側縁に装着される第２ガイド部材１５００は、第２スライドトラック１５２０と第２スライド面１５１０とからなる。
【０１３７】
図３８は第３実施例の第２スライド面１５１０を示す斜視図であり、図３９は第３実施例の第２カバー１１００に第２スライド面１５１０を結合する構造を示す斜視図、図４０は第３実施例の第２カバー１１００に第２スライド面１５１０と第２スライドトラック１５２０を結合した構造を示す斜視図である。
【０１３８】
図３７に示すように、第２スライド面１５１０は第２カバー１１００の一側縁と第３カバー１２００の他側縁とが直接当接しないように、第１スライド面１４１０と同様に第２カバー１１００と第３カバー１２００との間に配置される。
【０１３９】
この時、第２スライド面１５１０はＰＯＭ射出による合成樹脂製にすることが望ましい。
【０１４０】
このように第２スライド面１５１０を合成樹脂製にすることにより、上述の第１スライド面１４１０と同様に、第２カバー１１００と第３カバー１２００のスライド時における金属摩擦音などの騷音を防止するとともに、第２カバー１１００と第３カバー１２００のスライドをより円滑にすることができる。
【０１４１】
第２スライド面１５１０は、図３８に示すように、上下に長く形成されており、裏面部には第２係止突起１５１１及び第２固定突起１５１４が設けられ、表面部には第２スライド接触部１５１２及び弾性突出片１５１３が設けられている。
【０１４２】
また、第２カバー１１００の移動方向他側縁には、図３７及び図３９に示すように第２スライド面１５１０の第２係止突起１５１１が係止されて第２スライド面１５１０の離脱を防止する第２離脱防止段１１５１と、第２固定突起１５１４が挿入されて第２カバー１１００と第２スライド面１５１０とが一体に移動できるようにする第２固定溝１１５４とが形成されている。
【０１４３】
第２スライド面１５１０は、第１スライド面１４１０と同様に、第２スライド接触部１５１２によって第３カバー１２００の他側縁を囲んで接触する。
【０１４４】
この時、第２スライド接触部１５１２は上部が第３カバー１２００の両側縁に形成されたスライド溝１２５０に挿入されるように曲げられている。
【０１４５】
また、第２スライド面１５１０には多数の第２スライド接触部１５１２間に弾性突出片１５１３が形成されているが、弾性突出片１５１３は第３カバー１２００の移動方向他側縁と離隔してその上部のみが接している。
【０１４６】
このように弾性突出片１５１３を、その上部のみが第３カバー１２００の移動方向他側縁に接するように形成することで、第３カバー１２００の幅方向サイズに公差があっても、弾性突出片１５１３の弾性力により第３カバー１２００が第１スライド面１４１０の方向へ押されて接触し、第３カバー１２００は左右に揺動することなく固定されることができる。
【０１４７】
第２スライド面１５１０の外面は、図３７に示すように上記第２スライドトラック１５２０に囲まれて支持されている。
【０１４８】
すなわち、第２スライド面１５１０は第２スライドトラック１５２０と第３カバー１２００と第２カバー１１００の間に配置され、第２スライド面１５１０と第２カバー１１００とがスライドする時に第３カバー１２００と直接当接して発生する騷音を未然に防止することができる。
【０１４９】
第２スライドトラック１５２０は、その下部が第２カバー１１００の移動方向一側縁に装着され、上部が第３カバー１２００のスライド溝１２５０の方向に曲がって挿入されているため、第３カバー１２００と第２カバー１１００とは分離されることなく、上下方向にスライドすることができる。
【０１５０】
この時、第３カバー１２００と第２カバー１１００が共にスライドするように、第２スライド面１５１０及び第２スライドトラック１５２０の長さを、スライド溝１２５０の長さよりも小さくするのは勿論である。
【０１５１】
上記のように、第２スライド接触部１５１２の上部が第３カバー１２００のスライド溝１２５０に挿入されているため、第２スライドトラック１５２０の上部が第３カバー１２００のスライド溝１２５０の底面と直接接触して発生する騒音を防止することができる。
【０１５２】
また、図２４、図２５、図４０に示すように、第２カバー１１００の移動方向側縁には挿入位置突起１１２７が突出形成され、第２スライドトラック１５２０には挿入位置突起１１２７が挿入される第２挿入孔１５２７が形成されているため、第２スライドトラック１５２０を第２カバー１１００に容易に仮組立てし、その後締結手段１６００を利用して固定結合することで組立性を向上させることができる。
【０１５３】
したがって、第２スライド面１５１０は、第２固定突起１５１４が第２固定溝１１５４に挿入されて第２カバー１１００に結合され、第２スライドトラック１５２０は、第２挿入孔１５２７が挿入位置突起１１２７に挿入されて締結手段１６００により第２カバー１１００に結合されことで、第２スライド面１５１０と第２スライドトラック１５２０と第２カバー１１００は一緒に同時に移動できるようになる。
【０１５４】
また、図４０に示すように、第２スライド面１５１０の第２スライド接触部１５１２の長さは、第２スライドトラック１５２０の上部、つまり曲がった部分の長さよりも約０．１ｍｍ程長くして両側に突出するようにすることが望ましい。
【０１５５】
このようにして、第２カバー１１００または第３カバー１２００がスライドして第２スライドトラック１５２０の上部両端がスライド溝１２５０の終端に接する場合、スライド溝１２５０の終端に合成樹脂からなる第２スライド面１５１０の第２スライド接触部１５１２の両端が先に接して、第２スライドトラック１５２０とスライド溝１２５０との当接から発生する金属騷音を未然に防止できる。
【０１５６】
また、第２スライドトラック１５２０には弾性突出片１５１３の対応する位置に逃げ穴１５２５が形成されている。
【０１５７】
逃げ穴１５２５は、弾性突出片１５１３が後に押された場合に曲がるようにして弾性突出片１５１３に充分の弾性力を付加するための空間である。
【０１５８】
上記のようなガイド部材１４００，１５００により、第２カバー１１００と第３カバー１２００は左右に揺動することなく上下方向に容易にスライドできるようになる。
【０１５９】
以下、本発明による開閉装置の第４実施例を添付図面と共に説明する。
【０１６０】
図４１は本発明の第４実施例による開閉装置の分解斜視図であり、図４２は図４１に示す開閉装置を他の角度から見た分解斜視図、図４３及び図４４は図４１に示す開閉装置の要部結合斜視図である。
【０１６１】
携帯端末機のサブボディーをメインボディー上にスライド可能に結合させるための開閉装置は、メインボディ上に固定される第１プレート３１０；第１プレート３１０と平行な状態でスライド可能に結合され、スライド方向に沿って凹部と傾斜面とが連続するカムプロファイルが設けられ、サブボディに固定される第２プレート３２０；第１プレート３１０に固定される固定レバー３４０；固定レバー３４０と面接触し、カムプロファイルに向けて前後進可能に置かれるスライドレバー３５０；固定レバー３４０の端部側に一端が連結され、スライドレバー３５０の対向する端部側に他端が連結されて、スライドレバー３５０がカムプロファイル側に前進する弾性力を発生させるための１本以上の引張バネ３６０；及び、スライドレバー３５０に軸回転可能に設置され、カムプロファイルに接触して回転するローラ３７０；を含んでなる。
【０１６２】
固定レバー３４０とスライドレバー３５０のどちらか一方には、カムプロファイルに向けて長くガイド溝３４２を形成し、他方にはガイド溝３４２でスライドするリベット３８０を固定して、固定レバー３４０とスライドレバー３５０とをスライド可能に連結させることができる。
【０１６３】
固定レバー３４０には幅方向に延在して多数の引張バネ３６０の一端部をかけるための第１リブ３４４が形成され、スライドレバー３５０には幅方向に延在して多数の引張バネ３６０の他端部をかけるための第２リブ３５２が形成される。
【０１６４】
本実施例では、両側に各々２本ずつ、計４本の引張バネ３６０を設置することで弾性力を増加させ、引張バネ３６０の変位幅を減らす。また、スライドレバー３５０とカムプロファイルとがなす角度を直角にすることで、スライドレバー３５０の移動距離と引張バネ３６０の変位幅を最小にすることができる。
【０１６５】
このように、多数の引張バネ３６０を使用することにより、充分の弾性力を持たせ引張バネ３６０の変位を小さくして耐久性を向上させることができる。  従って、本実施例の開閉装置は、長期間使用しても機能が低下したり損傷することがない。
【０１６６】
ローラ３７０は、リベット３８０でスライドレバー３５０に回転可能に固定され、固定レバー３４０もリベット３８０にて第１プレート３１０に固定される。また、ローラ３７０は第２プレート３２０の移動時にカムプロファイルに沿って回転して摩擦を減らすようになる。
【０１６７】
第２プレート３２０の移動方向両側縁にはガイド軸３２２が固定され、第１プレート３１０の移動方向両側縁にはガイド軸３２２がスライド可能に結合する軸ホルダー３１２が形成される。
【０１６８】
第２プレート３２０のカムプロファイルは、中心領域に第１凹部３２４が形成されており、第１凹部３２４の一側に山形の傾斜面３２６が形成され、傾斜面３２６の終端には第２凹部３２８が形成される。そして第１凹部３２４の他側に第３凹部３３０が形成される。
【０１６９】
ローラ３７０が第１凹部３２４に結合された状態はサブボディーがメインボディーに結合されて開閉装置がクローズされた状態であり、ローラ３７０が第２凹部３２８に結合された状態はサブボディーがメインボディー上で上方向にスライドしてオープンされた状態、またローラ３７０が第３凹部３３０に結合された状態はサブボディーがメインボディー上で下方向にスライドしてオープンされた状態である。
【０１７０】
そして、ローラ３７０が傾斜面３２６の上り傾斜を上る時は、図４４のように引張バネ３６０が延伸して弾性力が第２プレート３２０の移動を妨げる力として作用し、ローラ３７０が傾斜面３２６の変曲点を通って下り傾斜を下る時は、引張バネ３６０の弾性力が第２プレート３２０を押して自動で移動させる力として作用する。
【０１７１】
以下では、上記のような構成の開閉装置の作用について説明する。
【０１７２】
図４５乃至図４８は、図４１に示す開閉装置の使用状態を示す平面図である。
サブボディーがメインボディーに結合されて開閉装置がクローズされた状態は、図４５のように、引張バネ３６０がスライドレバー３５０及びローラ３７０を押してローラ３７０が第１凹部３２４に結合された状態を維持させる。
【０１７３】
サブボディーを上方に押し上げると、図４６に示すようにローラ３７０が第１凹部３２４から抜け出て傾斜面３２６を通るが、ローラ３７０が傾斜面３２６の上り傾斜を上る時には引張バネ３６０の弾性力によって抵抗力を受け、変曲点を通ると、引張バネ３６０の弾性力で第２プレート３２０が自動で上方向にスライドしてオープンされる。
【０１７４】
そして図４７のように、ローラ３７０が第２凹部３２８に結合されると、引張バネ３６０の弾性力によって制動力が発生する。
【０１７５】
一方、図４５のような初期状態でサブボディーを下方に押し下げると、ローラ３７０が第１凹部３２４から抜け出て図４８のように第３凹部３３０に結合される。ここでもローラ３７０は引張バネ３６０の弾性力によって停止力を発生させる。
【０１７６】
以下、本発明による開閉装置の第５実施例を添付図面と共に説明する。
【０１７７】
図４９は本発明の第５実施例による開閉装置の分解斜視図であり、図５０は図４９に示す開閉装置を他の角度から見た分解斜視図である。そして図５１及び図５２は図４９に示す開閉装置の要部結合斜視図であり、図５３は図４９に示す開閉装置の結合状態斜視図である。
【０１７８】
携帯端末機のサブボディーをメインボディーにスライド可能に結合させるための開閉装置は、サブボディに固定される第１プレート４１０；メインボディに固定され第１プレート４１０と平行な状態でスライド可能に結合され、スライド方向に沿って凹部と傾斜面４３６とが連続するカムプロファイルを設けた第２プレート４３０；第１プレート４１０に固定される固定フレーム４４０；第１端部が固定フレーム４４０にヒンジ回転可能に結合され、第２端部がヒンジ回転動作によりカムプロファイルに向けて近接及び離脱する回転レバー４５０；一端部が固定フレーム４４０に固定され他端部が回転レバー４５０に固定されて引張力を発生させることで、第２端部を上記カムプロファイル側に近接させるための多数の引張バネ４６０；及び、第２端部に設けられ、カムプロファイルに接触して回転するローラ４７０；を含んでなる。
【０１７９】
固定フレーム４４０には、回転レバー４５０が引張バネ４６０の引張力によって所定角度以上回転することを防止するためのストッパー４４２が突設される。
【０１８０】
カムプロファイルと回転レバー４５０は、対称する一対として構成される。よって、引張バネ４６０は両側に各々３個ずつ固定され、ローラ４７０もそれぞれの回転レバー４５０の第２端部に各々設置される。
【０１８１】
ローラ４７０はリベット４８０にて回転レバー４５０に回転可能に結合され、第２プレート４３０の移動時にカムプロファイルと接触して回転し、摩擦を減らす役割をする。  
第２プレート４３０のカムプロファイルは、その中心領域に第１凹部４３２が形成され、第１凹部４３２の一側には山形の傾斜面４３６が形成され、傾斜面４３６の端部に第２凹部４３４が形成される。そして第１凹部４３２の他側には第３凹部４３８が形成される。
【０１８２】
このようなローラ４７０が第１凹部４３２に結合された状態はサブボディーがメインボディーに結合して開閉装置がクローズされた状態であり、ローラ４７０が第２凹部４３４に結合された状態はサブボディーがメインボディー上で上方向にスライドしてオープンされた状態、またローラ４７０が第３凹部４３８に結合された状態はサブボディーがメインボディー上で下方向にスライドしてオープンされた状態である。
【０１８３】
そして、ローラ４７０が傾斜面４３６の上り傾斜を上る時は引張バネ４６０の弾性力が第２プレート４３０の移動を妨げる力として作用し、ローラ４７０が傾斜面４３６の変曲点を通って下り傾斜を下る時は引張バネ４６０の弾性力が第２プレート４３０を押して自動で移動するようにする。
【０１８４】
第２プレート４３０の移動方向両側縁には第２プレート４３０の移動方向に沿ってスライド溝４３１が形成され、第１プレート４１０の移動方向両側縁にはスライド溝４３１にスライド可能に結合するスライドリブ４２２が形成されたガイドホルダー４２０が固定される。
【０１８５】
ガイドホルダー４２０は螺子で第１プレート４１０に固定される。ガイドホルダー４２０は摩擦の少ないプラスチック射出物で製作され、その中に金属のインサート物４２４を補充して剛性を向上させる。
【０１８６】
本実施例の弾性手段である引張バネ４６０は、従来のトーションバネに比べて変位量が少なくて耐久性に優れ、多数の引張バネ４６０を使用することによって弾性力が増加される。
【０１８７】
以下では、上記のような構成の開閉装置の作用について説明する。
【０１８８】
図５４乃至図５７は、図４９に示す開閉装置の使用状態断面図である。
サブボディがメインボディに結合して開閉装置がクローズされた状態では、図５４に示すように、引張バネ４６０が回転レバー４５０を引っ張ってローラ４７０が第１凹部４３２に結合された状態が維持される。
【０１８９】
図５５に示すようにサブボディーを下方に押し下げると、ローラ４７０は第１凹部４３２から抜け出て第２凹部４３４に結合される。ここでローラ４７０は引張バネ４６０の弾性力によって停止力を発生させる。
【０１９０】
一方、初期状態で図５６に示すようにサブボディーを上方に押し上げると、ローラ４７０が第１凹部４３２から抜け出て傾斜面４３６を通るが、ローラ４７０が傾斜面４３６の上り傾斜を上がる時は引張バネ４６０の弾性力によって抵抗力を受け、変曲点を通り過ぎると引張バネ４６０の弾性力で第２プレート４３０は自動で上方向にスライドしてオープンされる。
【０１９１】
そして図５７のように、ローラ４７０が第２凹部４３４に結合されると、引張バネ４６０の弾性力により制動力が発生する。
【０１９２】
以下、本発明による開閉装置の第６実施例を添付図面と共に説明する。
【０１９３】
図５８は本発明の第６実施例による開閉装置の分解斜視図であり、図５９は図５８に示す開閉装置を他の角度から見た分解斜視図、図６０は図５８に示す開閉装置の要部結合斜視図である。
【０１９４】
携帯端末機のサブボディーをメインボディー上にスライド可能に結合させるための開閉装置は、メインボディに固定される第１プレート５１０；第１プレート５１０と平行な状態でスライド可能に結合され、スライド方向に沿って凹部と傾斜面５２６とが連続するカムプロファイルを設けた第２プレート５２０；第１プレート５１０に固定されるスライドハウジング；カムプロファイルに向けて前後進可能にスライドハウジング内に設置されるスライド軸５８０；スライドハウジング内でスライド軸５８０に弾性力を加える圧縮バネ５６０；スライドハウジング内で圧縮バネ５６０と共にスライド軸５８０に弾性力を加えるトーションバネ５７０；及び、スライド軸５８０に軸回転可能に設置され、カムプロファイルに接触して回転するローラ５９０；を含んでなる。
【０１９５】
本実施例は、圧縮バネ５６０の弾性力及びトーションバネ５７０のトルクによる弾性力がスライド軸５８０に加えられ、スライド軸５８０は強い弾性力を受けるようになる。したがって圧縮バネ５６０及びトーションバネ５７０による弾性力の増加により変位を小さくすることができる。これに伴い、圧縮バネ５６０及びトーションバネ５７０を長期間使用しても機能が低下したり損傷することがない。
【０１９６】
スライドハウジングは、金属のプレス物で製造した上部ケース５４０と下部ケース５５０との結合からなり、上部ケース５４０と下部ケース５５０のうちどちらか一方にトーションバネ５７０のコイル部５７２を突出させるための開放部５５２が形成される。上部ケース５４０及び下部ケース５５０は高強度のプラスチックモールド物で製作してもよい。
【０１９７】
そして、スライドハウジングには、スライド軸５８０がカムプロファイルに向けて移動できるようにガイドするための通路５５６が形成される。
【０１９８】
また下部ケース５５０は、バー加工によって突出された多数の円筒形突起部５５４が設けられ、リベットを円筒形突起部５５４の中心に通過させることで上部ケース５４０に結合される。
【０１９９】
トーションバネ５７０の一端部に形成される第１係止爪５７４は円筒形突起部５５４に結合され、他端部に形成される第２係止爪部５７６はスライド軸５８０に結合される。
【０２００】
第１プレート５１０には切込部５１２が設けられ、スライドハウジングを切込部５１２内に挿入した状態で第１プレート５１０に固定し、ローラ５９０のみを第１プレート５１０の上部に突出させる。これにより、スライドハウジングと第１プレート５１０との合計厚さを最小化し、開閉装置全体をスリムにすることができる。
【０２０１】
第２プレート５２０の移動方向両側縁にはガイド軸５２２が固定され、第１プレート５１０の移動方向両側縁にはガイド軸５２２がスライド可能に結合する軸ホルダー５１４が固定される。
【０２０２】
第２プレート５２０のカムプロファイルは、その中心領域に第１凹部５２４が形成されており、第１凹部５２４の一側に山形の傾斜面５２６が形成され、傾斜面５２６の端部には第２凹部５２８が形成される。そして第１凹部５２４の他側に第３凹部５３０が形成される。  
ローラ５９０は、リベット５９５でスライド軸５８０に回転可能に結合され、第２プレート５２０の移動時にカムプロファイルに沿って回転して摩擦を減らす役割をする。
【０２０３】
このようなローラ５９０が第１凹部５２４に嵌合した状態はサブボディーがメインボディーに結合されて開閉装置がクローズされた状態であり、ローラ５９０が第２凹部５２８に結合された状態はサブボディーがメインボディー上で上方向にスライドしてオープンされた状態、またローラ５９０が第３凹部５３０に結合された状態はサブボディーがメインボディー上で下方向にスライドしてオープンされた状態である。
【０２０４】
そして、ローラ５９０が傾斜面５２６の上り傾斜を上る時は圧縮バネ５６０及びトーションバネ５７０の弾性力が第２プレート５２０の移動を妨げる力として作用し、ローラ５９０が傾斜面５２６の変曲点を通って下り傾斜を下る時は圧縮バネ５６０及びトーションバ５７０の弾性力が、第２プレート５２０を押して自動で移動するようになる。
【０２０５】
以下では、上記のような構成の開閉装置の作用について説明する。
【０２０６】
図６１乃至図６４は、図５８に示す開閉装置の使用状態を示す平面図である。
サブボディーがメメインボディーに結合されて開閉装置がクローズされた状態では、図６１のように、圧縮バネ５６０及びトーションバネ５７０がスライド軸５８０及びローラ５９０を押して、ローラ５９０が第１凹部５２４に結合された状態が維持される。
【０２０７】
サブボディーを上方に押し上げると、図６２のようにローラ５９０が第１凹部５２４から抜け出て傾斜面５２６を通るが、ローラ５９０が傾斜面５２６の上り傾斜を上る時は圧縮バネ５６０及びトーションバネ５７０の弾性力により抵抗力を受け、変曲点を通り過ぎると圧縮バネ５６０及びトーションバネ５７０の弾性力により第２プレート５２０が自動で上方向にスライドしてオープンされる。
【０２０８】
そして図６３に示すように、ローラ５９０が第２凹部５２８に結合されると、圧縮バネ５６０及びトーションバネ５７０の弾性力により制動力が発生する。
【０２０９】
一方、図６１のような初期状態でサブボディーを下方に押し下げると、ローラ５９０が第１凹部５２４から抜け出て図６４のように第３凹部５３０に結合する。ここでもローラ５９０は、圧縮バネ５６０及びトーションバネ５７０の弾性力により停止力を発生させる。
【０２１０】
以下、本発明による開閉装置の第７実施例を添付図面と共に説明する。
【０２１１】
図６５は本発明の第７実施例よる開閉装置の分解斜視図であり、図６６は図６５に示す開閉装置の一部が組み立てられた状態の斜視図、図６７は図６６に示す開閉装置の全部が組み立てられた状態の斜視図である。図６８は図６７に示す開閉装置の横断面図であり、図６９は図６８に示す開閉装置の使用状態断面図である。
【０２１２】
これらの図に示された開閉装置は、周りよりも高く段差を付けたスライド面６０２が形成され、スライド面６０２の所定箇所に１つ以上の凹部６０８が設けられた第１プレート６００；スライド面６０２に沿って移動できるように第１プレート６００にスライド可能に結合される第２プレート６１０；膨張力を発生させるトーションバネ６２０；トーションバネ６２０の一端部に連結されるスライド軸６３０；トーションバネ６２０とスライド軸６３０を内部に収容し、スライド軸６３０がスライド面６０２の方向にのみスライド移動するようにガイドし、第２プレート６１０に固定されるケース部材６４０，１４４；及び、スライド軸６３０に回転可能に結合されてスライド面６０２で転動し、凹部６０８に結合されて所定の制動力を発生させるローラ６５０；を含んでなる。
【０２１３】
第１プレート６００と第２プレート６１０とはスライド可能に結合されるが、その結合方式は従来技術にも開始されて既に当業界にはよく知られている。
【０２１４】
例えば、第１プレート６００と第２プレート６１０のどちらか一方にシャフト６０６を固定し、他方にはシャフト６０６にスライド可能に結合される軸ホルダー６１２を固定した後、シャフト６０６と軸ホルダー６１２とを結合させる方式がある。また、第１プレート６００と第２プレート６１０とにスライド可能に互いに結合するスリットとリブを各々固定して結合させる方式もある。
【０２１５】
本実施例の開閉装置は、第１プレート６００と第２プレート６１０をスライド可能に結合させる方式においては特に限定されずに多様に具現することができる。
【０２１６】
このような開閉装置が携帯端末機に設置される場合、第１プレート６００は携帯端末機のメインボディー又はスライドボディーのどちらか一方に固定され、第２プレート６１０は他方に固定される。
【０２１７】
一方、スライド面６０２の凹部６０８は、スライド面６０２の両端部側に各々１つずつ形成される。これら凹部６０８は、ローラ６５０をホールディングして所定の制動力を発生させるためのもので、例えば、携帯端末機のスライドボディーがクローズされた状態とオープンされた状態とで制動力を発生させるためのものである。
【０２１８】
また、スライド面６０２には、中心領域がスライド軸６３０に向けて緩やかな傾斜角で突出した突出部６０４が形成される。したがってローラ６５０がスライド面６０２の突出部６０４を通るとき、トーションバネ６２０が最も緊張して力が蓄積され、ローラ６５０が突出部６０４を通り過ぎるとトーションバネ６２０の弾性力により第２プレート６１０は自動で移動するようになる。
【０２１９】
このようなスライド面６０２の構造により、携帯端末機のスライドボディーがオープンしたりクローズしたりする時、使用者はスライド面６０２の変曲点まで押せばよく、後はスライド動作が自動で行われる。
【０２２０】
スライド面６０２に突出部６０４がなければ、使用者はスライドボディーをオープンさせたりクローズさせたりする時に、はじめから終わりまで押すべきであろう。
【０２２１】
トーションバネ６２０の両端には係止爪６２２が形成され、それぞれの係止爪６２２はそれぞれのスライド軸６３０に形成される係止部６３２に係合する。
ケース部材は上部カバー６４０と下部カバー６４４との結合からなり、上部カバー６４０と下部カバー６４４はトーションバネ６２０が動作し得る空間部を提供する。
【０２２２】
また第２プレート６１０には、ケース部材の形状に合わせた切込部６１４が設けられ、切込部６１４にはケース部材が挿入固定される。したがって開閉装置の厚さの最小化が可能になる。
【０２２３】
そしてケース部材には、スライド軸６３０がスライド面６０２側にのみスライド移動するようにガイドするためのガイド溝６４２が形成される。
【０２２４】
このようなケース部材は第２プレート６１０にリベット６４６による結合などの方法で固定される。
【０２２５】
スライド面６０２は所定の間隔をもって一対が並んで設置され、スライド軸６３０はスライド面６０２間でスライド移動するように一対が具備されてトーションバネ６２０の両端に各々結合され、それぞれのスライド軸６３０にはそれぞれのローラ６５０が回転可能に結合される。
【０２２６】
このように一対のスライド軸６３０が設置されることで、その両側のスライド面６０２に加えられる押圧力が均等になり、第１プレート６００と第２プレート６１０との結合においてどちらか一方に偏ることなく、円滑なスライド動作が実現されるようになる。
【０２２７】
ローラ６５０は回転軸を介してスライド軸６３０に回転可能に結合される。
第１プレート６００、第２プレート６１０、ケース部材、及びスライド軸６３０は金属やプラスチック射出物で成形することができる。
【０２２８】
以下では、上記のような構成の開閉装置の作用について説明する。
【０２２９】
通常トーションバネ６２０の弾性力はスライド軸６３０に伝えられスライド面６０２側に伝達される。ケース部材に形成されたガイド溝６４２は、スライド軸６３０がスライド面６０２に沿った方向にのみ移動できるようにする。
【０２３０】
携帯端末機がクローズした状態またはオープンした状態で、スライド軸６３０に結合されたローラ６５０は、スライド面６０２の凹部６０８に結合されて所定の制動力を発生させる。したがって、携帯端末機のスライドボディーがオープンされた状態とクローズされた状態を維持するようになる。
【０２３１】
この状態で第２プレート６１０を押すと、ローラ６５０が凹部６０８から抜け出てスライド面６０２を走行するようになる。
【０２３２】
ローラ６５０は、中心軸６５２を中心として回転しスライド面６０２に沿って移動するので、スライド面６０２との摩擦は殆ど発生しない。
【０２３３】
スライド面６０２に突出部６０４がある場合、ローラ６５０が突出部６０４の変曲点に到達するまではトーションバネ６２０の弾性力が第２プレート６１０の移動を阻止する方向に作用する。
【０２３４】
しかし、ローラ６５０が傾斜角の変曲点を通ると、トーションバネ６２０の弾性力は第２プレート６１０をその移動方向に押すようになる。したがって、それ以降は第２プレート６１０の移動が自動で行われる。
【０２３５】
第２プレート６１０の移動過程でケース部材に形成されたガイド溝６４２は、スライド軸６３０がスライド面６０２に沿った方向にのみ移動できるようにする。
【０２３６】
ローラ６５０がスライド面６０２における走行を完了して反対側の凹部６０８に結合すると、所定の制動力を発生して携帯端末機のスライドボディーがオープンされた状態またはクローズされた状態を維持するようになる。
【０２３７】
一方、第２プレート６１０を元の状態に移動させるために第２プレート６１０を逆方向に押すと、上記の動作と反対の動作が行われる。
【０２３８】
上記のような作用から分かるように、トーションバネ６２０の弾性力は常に一方向にのみ作用し、その弾性力はスライド軸６３０を通してスライド面６０２に伝達されるため、トーションバネ６２０の変位は少なくなる。したがって、トーションバネ６２０は長期間の使用にも機能が低下するか断線することがない。
【図面の簡単な説明】
【０２３９】
【図１】本発明の第１実施例による携帯端末機の一方向分離斜視図である。
【図２】本発明の第１実施例による携帯端末機の他方向分離斜視図である。
【図３】本発明の第１実施例によるスライド開閉装置の結合斜視図である。
【図４】図３のスライド開閉装置の横方向断面図である。
【図５】本発明の第１実施例による弾性部材の分離斜視図である。
【図６】本発明の第１実施例による弾性部材の結合状態を示す斜視図である。
【図７】本発明の第１実施例による弾性部材の作動状態の斜視図である。
【図８】図６の弾性部材の横方向断面図である。
【図９】本発明の第１実施例による、上方向にスライドオープンした状態の携帯端末機の斜視図及びスライド開閉装置の斜視図である。
【図１０】本発明の第１実施例による下方向にスライドオープンした状態の携帯端末機の斜視図及びスライド開閉装置の斜視図である。
【図１１】本発明の第２実施例によるスライド開閉装置の分解斜視図である。
【図１２】図１１に示す開閉装置の分解斜視図である。
【図１３】図１２に示す開閉装置の結合状態斜視図である。
【図１４】図１１に示す開閉装置の部分組立斜視図である。
【図１５】図１１に示す開閉装置の部分組立斜視図である。
【図１６】図１１に示す開閉装置の作用を示す要部斜視図である。
【図１７】図１１に示す開閉装置の作用を示す要部斜視図である。
【図１８】図１１に示す開閉装置の作用を示す要部斜視図である。
【図１９】図１１に示す開閉装置の作用を示す要部斜視図である。
【図２０】図１１に示す開閉装置の作用を示す要部斜視図である。
【図２１】図１１に示す開閉装置の使用状態斜視図である。
【図２２】本発明の第３実施例による開閉装置の斜視図である。
【図２３】図２２に示す開閉装置の作動状態を示す斜視図である。
【図２４】図２２に示す開閉装置の一方向分離斜視図である。
【図２５】図２２に示す開閉装置の他方向分離斜視図である。
【図２６】図２２に示すプランジャーアセンブリーの斜視図である。
【図２７】図２６に示すプランジャーアセンブリーの分離斜視図である。
【図２８】図２６に示すプランジャーアセンブリーのハウジングの斜視図である。
【図２９】図２６に示すプランジャーアセンブリーのプランジャーの斜視図である。
【図３０】図２６に示すプランジャーアセンブリーの部分切断面図である。
【図３１】図２２に示すプランジャーアセンブリーが第２カバーに結合する構造を示す斜視図である。
【図３２】図２２に示す第３カバーの斜視図である。
【図３３】図２２に示す開閉装置の一側面を示す構造図である。
【図３４】図２２に示す第１スライド面の斜視図である。
【図３５】図２２に示す第２カバーに第１スライド面を結合する構造を示す斜視図である。
【図３６】図２２に示す第２カバーに第１スライド面と第１スライドトラックとを結合した構造を示す斜視図である。
【図３７】図２２に示す開閉装置の他側面を示す構造図である。
【図３８】図２２に示す第２スライド面の斜視図である。
【図３９】図２２の第２カバーに第２スライド面を結合する構造を示す斜視図である。
【図４０】図２２の第２カバーに第２スライド面と第２スライドトラックとを結合した構造を示す斜視図である。
【図４１】本発明の第４実施例による開閉装置の分解斜視図である。
【図４２】図４１に示す開閉装置を他の角度から見た分解斜視図である。
【図４３】図４１の開閉装置の要部結合斜視図である。
【図４４】図４１の開閉装置の要部結合斜視図である。
【図４５】図４１の開閉装置の使用状態を示す平面図である。
【図４６】図４１の開閉装置の使用状態を示す平面図である。
【図４７】図４１の開閉装置の使用状態を示す平面図である。
【図４８】図４１の開閉装置の使用状態を示す平面図である。
【図４９】本発明の第５実施例による開閉装置の分解斜視図である。
【図５０】図４９に示す開閉装置を他の角度から見た分解斜視図である。
【図５１】図４９に示す開閉装置の要部結合斜視図である。
【図５２】図４９に示す開閉装置の要部結合斜視図である。
【図５３】図４９に示す開閉装置の結合状態斜視図である。
【図５４】図４９に示す開閉装置の使用状態断面図である。
【図５５】図４９に示す開閉装置の使用状態断面図である。
【図５６】図４９に示す開閉装置の使用状態断面図である。
【図５７】図４９に示す開閉装置の使用状態断面図である。
【図５８】本発明の第６実施例による開閉装置の分解斜視図である。
【図５９】図５８に示す開閉装置を他の角度から見た分解斜視図である。
【図６０】図５８に示す開閉装置の要部結合斜視図である。
【図６１】図５８の開閉装置の使用状態を示す平面図である。
【図６２】図５８の開閉装置の使用状態を示す平面図である。
【図６３】図５８の開閉装置の使用状態を示す平面図である。
【図６４】図５８の開閉装置の使用状態を示す平面図である。
【図６５】本発明の第７実施例による開閉装置の分解斜視図である。
【図６６】図６５の開閉装置の一部が組み立てられた状態を示す斜視図である。
【図６７】図６６の開閉装置の全部が組み立てられた状態を示す斜視図である。
【図６８】図６７に示す開閉装置の横断面図である。
【図６９】図６８に示す開閉装置の使用状態断面図である。
【符号の説明】
【０２４０】
１０  本体部
２０、４０  第１及び第２プレート
２１  弾性部材嵌着孔
２２  側縁ガイド部
２３、４３  第１及び第２安着溝
３０  弾性部材
３２  長孔３２
３３  バネ支持部
３４  バネ
３５  スライダー
３６  突起片
３８  スライド溝
３９  ローラ
４２  カムプロファイル
４５  ガイドロッド
５０  ディスプレイ部
【図１】
2007159127.tif 000003
【図２】
2007159127.tif 000004
【図３】
2007159127.tif 000005
【図４】
2007159127.tif 000006
【図５】
2007159127.tif 000007
【図６】
2007159127.tif 000008
【図７】
2007159127.tif 000009
【図８】
2007159127.tif 000010
【図９】
2007159127.tif 000011
【図１０】
2007159127.tif 000012
【図１１】
2007159127.tif 000013
【図１２】
2007159127.tif 000014
【図１３】
2007159127.tif 000015
【図１４】
2007159127.tif 000016
【図１５】
2007159127.tif 000017
【図１６】
2007159127.tif 000018
【図１７】
2007159127.tif 000019
【図１８】
2007159127.tif 000020
【図１９】
2007159127.tif 000021
【図２０】
2007159127.tif 000022
【図２１】
2007159127.tif 000023
【図２２】
2007159127.tif 000024
【図２３】
2007159127.tif 000025
【図２４】
2007159127.tif 000026
【図２５】
2007159127.tif 000027
【図２６】
2007159127.tif 000028
【図２７】
2007159127.tif 000029
【図２８】
2007159127.tif 000030
【図２９】
2007159127.tif 000031
【図３０】
2007159127.tif 000032
【図３１】
2007159127.tif 000033
【図３２】
2007159127.tif 000034
【図３３】
2007159127.tif 000035
【図３４】
2007159127.tif 000036
【図３５】
2007159127.tif 000037
【図３６】
2007159127.tif 000038
【図３７】
2007159127.tif 000039
【図３８】
2007159127.tif 000040
【図３９】
2007159127.tif 000041
【図４０】
2007159127.tif 000042
【図４１】
2007159127.tif 000043
【図４２】
2007159127.tif 000044
【図４３】
2007159127.tif 000045
【図４４】
2007159127.tif 000046
【図４５】
2007159127.tif 000047
【図４６】
2007159127.tif 000048
【図４７】
2007159127.tif 000049
【図４８】
2007159127.tif 000050
【図４９】
2007159127.tif 000051
【図５０】
2007159127.tif 000052
【図５１】
2007159127.tif 000053
【図５２】
2007159127.tif 000054
【図５３】
2007159127.tif 000055
【図５４】
2007159127.tif 000056
【図５５】
2007159127.tif 000057
【図５６】
2007159127.tif 000058
【図５７】
2007159127.tif 000059
【図５８】
2007159127.tif 000060
【図５９】
2007159127.tif 000061
【図６０】
2007159127.tif 000062
【図６１】
2007159127.tif 000063
【図６２】
2007159127.tif 000064
【図６３】
2007159127.tif 000065
【図６４】
2007159127.tif 000066
【図６５】
2007159127.tif 000067
【図６６】
2007159127.tif 000068
【図６７】
2007159127.tif 000069
【図６８】
2007159127.tif 000070
【図６９】
2007159127.tif 000071